(57)【要約】【課題】    患者の人工膝関節または人工十字型の靭帯を作成するための医療装置であり、大腿骨の骨の末端部分の少なくとも3枚の層の皮質骨を通して配置されるのに適している横部材を備え、全体として横部材の延長に沿った4つの表層から成る医療装置である。【解決手段】    横部材は、人工膝関節または人工十字型の靭帯に関与し、横部材は、少なくとも、大腿骨の皮質骨の少なくとも4枚の層のうちの少なくとも1枚に横部材の固定に関与する1つの固定部から成る。【選択図】図７ａ
2018027396.tif 000002
【特許請求の範囲】
【請求項１】
人工膝関節の固定または哺乳類患者の人工十字型の靭帯において援助するための医療装置であって、
医療装置は、
ｉ．  膝関節に遠位領域に脛骨の骨の骨髄に皮質の脛骨の骨で導入されるのに適している脛骨固定デバイス、そして、
ｉｉ．膝関節に近位領域で大腿骨の骨の骨髄に皮質の大腿骨の骨で導入される大腿骨の骨固定デバイスで、通常の膝関節内部で領域サイトに皮質骨を通して骨髄を出るのに更に適している骨固定デバイスから成り、
骨固定デバイスは、、
ｉｉｉ．少なくとも一つの人工膝関節面のサポート、
ｉｖ．少なくとも一つの人工膝関節十字型の靭帯のサポート、そして、
ｖ．人工膝関節の少なくとも１部をつくるための少なくとも一つの人工膝関節面、そして、
全体として横部材の延長に沿った４つの表層から、大腿骨の骨の末端部分の少なくとも３枚の層の皮質骨で配置されるのに適している横部材で、、横部材は、人工膝関節または人工十字型の靭帯に関与され、また横部材は、横部材の固定を中で関与される、少なくとも一つの固定部から成る少なくとも一つの少なくとも４枚の層の大腿骨の皮質骨
のうち少なくともひとつから成る、
少なくともひとつの骨固定デバイスを備える医療装置。
【請求項２】
横部材は、横方向で内側関節丘の間に位置する人工関節に関与される、請求項１に記載の医療装置。
【請求項３】
横部材は、通常の横方向の及び中間の関節面の間に位置する人工関節に関与される、請求項１および２のいずれかひとつに記載の医療装置。
【請求項４】
横部材は、膝関節の本来の関節面の頭方に配置された人工関節に関与される、請求項１〜３に記載の医療装置
【請求項５】
横部材は、人工膝関節の回転中心から成る、請求項１〜４のいずれかひとつに記載の医療装置。
【請求項６】
横部材は、大腿骨の骨の末端部分の４枚の層の皮質骨で配置される、請求項１〜５のいずれかひとつに記載の医療装置。
【請求項７】
横部材は、脛骨に固定する他の人工膝関節面を関節結合を成す人工膝関節面から成る、請求項１〜６のいずれかひとつに記載の医療装置。
【請求項８】
横部材は、保持人工膝関節に関与される人工膝関節を保っている一部から成る、請求項１〜７のいずれかひとつに記載の医療装置。
【請求項９】
横部材は、大腿骨の骨の末端部分の３枚の層の皮質骨を通して配置され、大腿骨の骨の末端部分の皮質骨の第四層に固定するのに適している、請求項１〜８のいずれかひとつに記載の医療装置。
【請求項１０】
横部材は、
ａ．  大腿骨の骨の末端部分の第一の関節丘の２枚の層の皮質骨を通して配置され、
ｂ．脛骨に固定する人工の膝関節部材を通して配置され、
ｃ．大腿骨の骨の末端部分の第２の関節丘の最少の皮質骨の３枚目の層を通して配置されるか、または３枚目の層に固定される、
請求項１〜９のいずれかひとつに記載の医療装置。
【請求項１１】
横部材は、
ｄ．  大腿骨の骨の末端部分の第一の関節丘の２枚の層の皮質骨を通して配置され、
ｅ．  脛骨に固定する人工の膝関節部材を通して配置され、
ｆ．  大腿骨の骨の末端部分の第２の関節丘の皮質骨の３枚目の層を通して配置され、そして、
ｇ．  大腿骨の骨の末端部分の第２の関節丘の皮質骨の第四層を通して配置されるかまたは第四層に固定される、。
請求項１〜１０のいずれかひとつに記載の医療装置。
【請求項１２】
横部材は、内側と横方向の関節丘との間に領域の大腿骨の固定部材に接続する、請求項１〜１１のいずれかひとつに記載の医療装置。
【請求項１３】
横部材は、内側で横方向の関節丘との間に領域の脛骨固定部材に接続する、請求項１〜１２のいずれかひとつに記載の医療装置。
【請求項１４】
人工膝関節は、横部材および脛骨固定部材との結合から成る、請求項１〜１３のいずれかひとつに記載の医療装置。
【請求項１５】
医療装置は更に、少なくとも、第一の十字型の靭帯端で横部材に固定する１つの人工十字型の靭帯から成る、請求項１〜１４のいずれかひとつに記載の医療装置。
【発明の詳細な説明】
【技術分野】
【０００１】
膝置換手術は、現在まで、世界的に毎年１００万人以上の患者で実行されて、最も一般の外科的手技のうちの１つである。膝置換手術を実行するための最も一般の理由は患者が膝関節骨関節炎を患うということである。そして、それは軽度の炎症がジョイントの痛みに結果としてなる症候群である。軽度の炎症は、内部の関節のカバーやクッションの役割をする軟骨の異常な磨耗によって引き起こされ、結果として膝関節を滑らかにする滑液流体の減少を招く。
【背景技術】
【０００２】
従来の手術において、外科医は、人工器官を横方向の関節丘、内側関節丘または内側で横方向の関節丘に配置する。人工器官は、脛骨の骨の最上部に配置される接触表面および膝キャップを交換している人工部分を含む場合もある。
【０００３】
手順に通常最高２時間がかかり、外科医は膝の正面の下の部分を切る（長さ１０〜３０ｃｍ）。膝蓋骨は、膝関節に達するために片側に寄せられる。磨耗したり損傷した表層は取り除かれ、骨は人工膝関節に適合するために形づくられる。
【０００４】
平均的患者世代は、６５歳から７５歳ある。手術を受ける者のうち、約８０％が片側（片膝だけの交換）であり、２０％は両側に受ける。
【０００５】
膝関節は、内側関節丘の部分であって、近位の接触表面から成る。そして、横方向の関節丘および大腿骨のものの領域は内側で横方向の関節丘および末梢部の接触表面との間に脛骨の骨の近位の一部の横断面であることに骨を入れる。さらに、膝関節は、膝蓋骨から成る、大腿骨に関節結合し、膝関節をカバーして保護する三角形骨から成る。膝関節はまた、骨の端を各々とすれ合うことから保護するのに役立つ膝関節の範囲内の軟骨性の要素である半月板が設けられている。半月板も膝の緩衝装置として作用する。各膝には、内側半月板および外側半月板の、２つの半月板がある。
【０００６】
骨関節炎は、軟骨不全のよく見られる疾患であり、それは、動きの制限、骨の損傷および恒常的な痛を引き起こす。鋭い応力および慢性の疲労の組合せのため、骨関節炎は直接関節形成面の中で摩滅し、極端なケースでは、関節において骨が露出する。軟骨不全メカニズムの別のある症例には、細胞マトリックス結合破裂、軟骨細胞タンパク質合成抑制および軟骨細胞アポトーシスなどがある。
【０００７】
患者の膝関節の移植のための医療装置は、供給されている。医療装置は、横部材の延長に沿った全体として４つの表層から、大腿骨の骨の末端部分の少なくとも３枚の層の皮質骨を通って配置される横部材から成る。横部材は、人工膝関節または人工十字型の靭帯に関係しているのに適していてもよい、そして、横部材は、大腿骨の皮質骨の少なくとも４枚の層のうちの少なくとも１枚に横部材の固定に関与しているのに適している少なくとも一つの固定部から成ってもよい。横部材を形成することによって、大腿骨の骨に対する安定な固定は、設けられている。
【０００８】
一実施例によれば、横部材は、人工関節の、横方向で内側関節丘の間に位置する、および／または通常の横方向で中間の関節面の間に、および／または配置された頭蓋膝関節の本来の関節面に、関わるのに適している。
【０００９】
一実施例によれば、横部材は、人工膝関節の回転中心から成るのに適している。
【００１０】
一実施例によれば、横部材は、大腿骨の骨の末端部分の４枚の層の皮質骨によって配置されるのに適している。
【００１１】
一実施例によれば、横部材は、脛骨に固定する他の人工膝関節面によって関節があるのに適している人工膝関節面から成る。
【００１２】
一実施例によれば、横部材は、人工膝関節を保つことに関係しているのに適している一部を保っている人工膝関節から成る。
【００１３】
一実施例によれば、横部材は、大腿骨の骨の末端部分の３枚の層の皮質骨によって配置され、大腿骨の骨の末端部分の皮質骨の第四層に固定されるに適している。
【００１４】
一実施例によれば、横部材は、大腿骨の骨の末端部分の第一の関節丘の２枚の層の皮質骨によって配置され、脛骨に固定する人工のひじ継手要素によって配置され、そして、配置されるかまたは大腿骨の骨の末端部分の第二の関節丘の皮質骨の最低３分の１層で固定するのに適している。
【００１５】
一実施例によれば、横部材は、大腿骨の骨の末端部分の第一の関節丘の２枚の層の皮質骨によって配置され、脛骨に固定する人工のひじ継手要素によって配置され、大腿骨の骨の末端部分の第二の関節丘の皮質骨の３枚目の層によって配置される、そして、大腿骨の骨の末端部分の第二の関節丘の皮質骨の第四層において配置されるかまたは固定されるのに適している。。
【００１６】
一実施例によれば、横部材は、内側で横方向の関節丘との間に領域の大腿骨の固定デバイスに接続しているのに適し、それは、関節の更なる安定を提供することになる。
【００１７】
一実施例によれば、横部材は、内側で横方向の関節丘との間に領域の脛骨固定デバイスに接続しているのに適しており、それは、インプラントする際に、関節の更なる安定を提供することになる。
【００１８】
一実施例によれば、人工膝関節は、横部材および脛骨固定デバイス間の接続から形成される。
【００１９】
一実施例によれば、医療装置は、第一の十字型の靭帯端に横部材に固定するのに適している少なくとも一つの人工十字型の靭帯から形成される。
【００２０】
一実施例によれば、第二の十字型の靭帯端は、脛骨の骨チャネルによって取り付けられるのに適しており、インプラントする際に、内側に、または、骨チャネルの外側に渡った後に骨まで固定するために適応した、第一の十字型の靭帯端に対する対向端部に配置されてもよい。
【００２１】
一実施例によれば、医療装置は、脛骨に配置され固定されるのに適している脛骨固定デバイスから成り、第二の十字型の靭帯端が、第一の十字型の靭帯端に対する対向端部に配置されることも可能で、インプラントする際に、脛骨固定デバイスに取り付けられるのに適している。
【００２２】
一実施例によれば、横部材は、大腿骨の横方向の関節丘で人工膝関節面につながるのに適している。
【００２３】
一実施例によれば、横部材は、大腿骨の内側関節丘で人工膝関節面につながるのに適している。
【００２４】
一実施例によれば、医療装置は、大腿骨の横方向の関節丘で配置されるのに適している人工膝関節面から成る。
【００２５】
一実施例によれば、先行するいずれか一項の請求項に記載の医療装置は、大腿骨の内側関節丘で場所に適している人工膝関節面から成る。
【００２６】
一実施例によると、医療装置は更に、２つの人工十字型の靭帯と、前方と後方の十字型の靭帯とから成り、少なくとも一つの、横部材の同じか異なる位置に、固定するために構成される。
【００２７】
一実施例によると、十字型の靭帯で異なる位置に適応するために内側関節丘の間に配置されるのに適している前方で後部方向において延長される、横部材が細長い一部を有する。
【００２８】
患者の膝関節の移植のための医療装置は、供給されている。医療装置には、少なくとも一つの骨固定デバイスが設けられ、膝関節に遠位領域に、脛骨の骨の骨髄に、皮質の脛骨の骨によって導かれるのに適している脛骨固定デバイスおよび、膝関節に近位領域に、大腿骨の骨の骨髄に、皮質の大腿骨の骨によって導かれるのに適している少なくとも一つの大腿骨の骨固定デバイスを有する。骨固定デバイスは通常の膝関節内部で領域地域に皮質骨による骨髄を出るのに更に適しており、そこにおいて、骨固定デバイスは、少なくとも一つの人工膝関節面のサポート、少なくとも一つの人工膝関節十字型の靭帯のサポートおよび人工膝関節の少なくとも１部をつくるための少なくとも一つの人工膝関節面から成る。骨固定デバイスを提供することによって、安定な固定がなされる。
【００２９】
一実施例によれば、脛骨固定デバイスは第二の大腿骨の骨固定デバイスに接続しているのに適していてもよい、そして、通常の膝関節に置かれるサイトだけに大腿骨の皮質骨を下すために構成されて、医療装置は脛骨で大腿骨の骨固定デバイスを接続して可動少なくとも一つの人工膝関節から更に成ってもよい。
【００３０】
一実施例によれば、大腿骨の骨固定デバイスは第二の脛骨固定デバイスに接続しているのに適している、そして、通常の膝関節に置かれるサイトだけに脛骨皮質骨を下すために構成されて、医療装置は脛骨で大腿骨の骨固定デバイスを接続して可動少なくとも一つの人工膝関節から更に成る。
【００３１】
一実施例によれば、医療装置は少なくとも一つの人工膝関節から更に成る。そして、可動に脛骨固定デバイスおよび大腿骨の骨固定デバイスに接続している。
【００３２】
一実施例によれば、大腿骨の骨固定デバイスおよび脛骨固定デバイスは、人工膝関節を形成するための各々に可動に接続しているのに適している。
【００３３】
一実施例によれば、脛骨固定デバイスは、脛骨固定デバイスの第一および第二の部分との間に運動を許容している第二の関節から更に成る。
【００３４】
一実施例によれば、脛骨固定デバイスの第一部分は固定している部分であり、脛骨固定デバイスの第二部分は少なくとも、人工膝関節面をサポートすること、少なくとも一つの人工膝関節十字型の靭帯を支持すること、そして、少なくとも一つの人工膝関節面から成ることのうちのひとつの支持部分である；
【００３５】
一実施例によれば、大腿骨の骨固定デバイスは、大腿骨の骨固定デバイスの第一および第二の部分との間に運動を許容している第二の関節から更に成る。
【００３６】
一実施例によれば、大腿骨の骨固定デバイスの第一部分は固定している部分である、そして、大腿骨の骨固定デバイスの第二部分は、人工膝関節面、少なくとも一つの人工膝関節十字型の靭帯および少なくとも一つの人工膝関節面のうち、少なくとも一つをサポートするための支持部分である。
【００３７】
一実施例によれば、人工膝関節および第二の関節は、角度または人工の膝関節サポート、十字型の靭帯サポートまたは人工膝関節面の位置を調整するために調節可能であるのに適している。
【００３８】
一実施例によれば、表層がそうである通常の膝関節は中脈および横方向の大腿骨の関節丘で両方とも配置した。そこにおいて、インプラントされるときに、人工膝関節は通常の横方向で中間の関節面の間に配置されるのに適している。
【００３９】
一実施例によれば、通常の膝関節面は、中脈および横方向の大腿骨の関節丘で脛骨で大腿骨の骨の間に配置され、インプラントされるときに、人工膝関節は通常の横方向かつ中間の関節面より頭蓋で配置されるのに適している。
【００４０】
一実施例によれば、医療装置は、両方の大腿骨の関節丘を含んでいる大腿骨の皮質骨の少なくとも２枚の層によって配置されるのに適している横部材から成り、横部材は、少なくとも部分的に人工膝関節または人工十字型の靭帯を保つことに関係しているのに適している一部を保っている少なくとも一つの人工膝関節または十字型の靭帯から成る。
【００４１】
一実施例によれば、横部材は、少なくとも一つの人工膝関節面から成る。
【００４２】
一実施例によれば、インプラントされるときに、人工膝関節は１本の一つの人工膝関節を通常の膝関節の中に存在している２つの横方向の接触表面および２つの中間の接触表面を置き換えるのに適している２つの接触関節面により形成するのに適している。
【００４３】
一実施例によれば、骨髄に置かれる骨固定デバイスの一部は、大腿骨または脛骨の骨の骨髄にインプラントしたとき、細長い部分の一つ以上に沿った骨の内部から、皮質骨の方へ骨固定デバイスを固定させるために、その細長い部分の一つ以上に沿って、実質的に横最大半径を調整するために構成されるかまたは少なくとも骨固定デバイスの中心の軸に関して、明らかに曲げられ、少なくとも一つの半径調整を含む。
【００４４】
一実施例によれば、骨髄に置かれる骨固定デバイスの一部は、脛骨の内部または、その細長い部分の一つ以上に沿って、大腿骨の骨から皮質骨を接触させるために構成される皮質骨接触表面から成り、少なくとも一つの皮質骨接触表面および骨固定デバイスの関連した材料は、皮質骨に関してサスペンションを有し、大腿骨または脛骨の骨の骨髄にインプラントされるときに、サスペンションには、一つ以上の細長い部分に沿った屈曲可能な一部および、皮質骨の方の骨固定デバイスの輪止めを吸収している固定のために、骨固定デバイスの弾力的な一部が含まれる。
【００４５】
一実施例によれば、全体として横部材の伸長の４つの表層から、医療装置は、大腿骨の骨の末端部分の少なくとも３枚の層の皮質骨によって配置されるのに適している横部材から成り、横部材は、大腿骨の皮質骨の少なくとも４枚の層のうちの少なくとも１枚に横部材の固定に関与しているのに適している少なくとも一つの固定部から成り、そして、横部材は、人工膝関節および人工の十字型の靭帯サポートのうちの少なくとも１つに関与しているのに適している。
【００４６】
一実施例によれば、横部材は、人工膝関節の回転中心から成るのに適している。
【００４７】
一実施例によって、横部材が他の人工膝関節面によって関節があるのに適している人工膝関節面から成ること骨固定デバイスの一部である。
【００４８】
一実施例によれば、骨固定デバイスは、脛骨または大腿骨の骨において穿設することが可能であるのに適している。
【００４９】
一実施例によれば、医療装置は、その第一端部を有する人工の十字型の靭帯サポートに固定するのに適している少なくとも一つの人工十字型の靭帯から更に成る。
【００５０】
一実施例によれば、第一の十字型の靭帯端に対する対向端部に配置される第二の十字型の靭帯端は、脛骨であるか大腿骨の骨の骨チャネルによって取り付けられ、骨チャネルの、そして、インプラントされるときに骨チャネルを通過した後の膝関節の外側上の内部のうち、少なくともひとつに、骨まで固定するために構成されるのに適している。
【００５１】
一実施例によれば、前で後方十字型の靭帯は、人工の十字型の靭帯サポートに固定するのに適している。
【００５２】
一実施例によれば、膝関節は、両方とも内側大腿骨の関節丘および横方向の大腿骨の関節丘の位置に置かれる大腿骨の関節面および脛骨関節面を有し、骨固定デバイスは少なくとも一つの人工関節面をサポートするのに適しており、横方向で内側大腿骨の関節丘の位置のうちの少なくとも１つに置かれて、骨固定デバイスに接続しているのに適している。
【００５３】
一実施例によれば、少なくとも一つの人工関節面は、少なくとも横方向で内側大腿骨の関節丘の位置のうちの１つに置かれて、骨固定デバイスに固定するのに適している。
【００５４】
本願明細書において実施例のいずれかにおいて、様々な弾力は、骨の方の輪止めを吸収している力のための道具としての重要な役割を演ずることができる。構造は、同じ目的を達成する多くの異なる方法でされることができる。
好ましい構造は、本願明細書において実施例のいずれかに従って、半径調整装置と結合されることである。様々な弾力は様々な弾力をつくっている異なる技術を使用して成し遂げられてもよい、そして、本発明は本願明細書において開示される実施例に限られていてはならない。様々な弾力と同様に類似の結果はバネ・サスペンションを含んでいるいかなる種類ものサスペンションによって成し遂げられてもよい、そして、構造は同じ結果を成し遂げて屈曲可能でもよいか可撓性でもよい。
【００５５】
患者の膝関節の移植のための医療装置は、供給されている。    少なくとも一つの骨固定デバイスを有する医療装置は、膝関節に近位領域に大腿骨の骨の骨髄に皮質の大腿骨の骨によって導かれるために構成される、膝関節に遠位領域に、脛骨の骨の骨髄に、皮質の脛骨の骨によって導かれるのに適している脛骨固定デバイスおよび大腿骨の骨固定デバイスのうちの少なくとも一つから成る。骨固定デバイスは通常の膝関節内部で領域地域に皮質骨による骨髄を出るのに更に適しており、骨固定デバイスは、少なくとも一つの人工膝関節面のサポート、少なくとも一つの人工膝関節十字型の靭帯のサポートおよび人工膝関節の少なくとも１部をつくるための少なくとも一つの人工膝関節面のうちの少なくとも一つから成る。骨固定デバイスを提供することによって、安定な固定が得られる。
【００５６】
一実施例によれば、脛骨固定デバイスは、第二の大腿骨の骨固定デバイスに接続しているのに適していてもよくて、通常の膝関節に置かれるサイトだけに大腿骨の皮質骨を下すのに適していてもよく、医療装置は、脛骨で大腿骨の骨固定デバイスを接続して、可動少なくとも一つの人工膝関節から更に成ってもよい。
【００５７】
一実施例によれば、大腿骨の骨固定デバイスは、第二の脛骨固定デバイスに接続しているのに適していて、通常の膝関節に置かれるサイトだけに脛骨皮質骨を下すのに適しており、医療装置は更に、脛骨ものを接続している少なくとも一つの人工の膝関節可動部と大腿骨の骨固定デバイスとを具備している。
【００５８】
一実施例によれば、医療装置は少なくとも一つの人工膝関節から更に成る。そして、可動に脛骨固定デバイスおよび大腿骨の骨固定デバイスに接続している。
【００５９】
一実施例によれば、大腿骨の骨固定デバイスおよび脛骨固定デバイスは、人工膝関節を形成するための各々に可動に接続しているのに適している。
【００６０】
一実施例によれば、脛骨固定デバイスは、脛骨固定デバイスの第一および第二の部分との間に運動を許容している第二の関節から更に成る。
【００６１】
一実施例によれば、脛骨固定デバイスの第一部分は固定部分であり、脛骨固定デバイスの第二部分は、人工膝関節面をサポートする、少なくとも一つの人工膝関節十字型の靭帯を支持する、少なくとも一つの人工膝関節面を有することのうち、少なくとも一つのもののための支持部分である。
【００６２】
一実施例によれば、大腿骨の骨固定デバイスは、大腿骨の骨固定デバイスの第一および第二の部分との間に運動を許容している第二の関節から更に成る。
【００６３】
一実施例によれば、大腿骨の骨固定デバイスの第一部分は固定している部分であり、大腿骨の骨固定デバイスの第二部分は、人工膝関節面、少なくとも一つの人工膝関節十字型の靭帯および少なくとも一つの人工膝関節面のうち少なくとも一つをサポートする支持部分である。
【００６４】
一実施例によれば、人工膝関節および第二の関節は、角度または人工の膝関節サポート、十字型の靭帯サポートまたは人工膝関節面の位置を調整するために調節可能であるのに適している。
【００６５】
一実施例によれば、表層がそうである通常の膝関節は中脈および横方向の大腿骨の関節丘で両方とも配置した。そこにおいて、インプラントされるときに、人工膝関節は通常の横方向で中間の関節面の間に配置される。
【００６６】
。
【００６７】
一実施例によれば、通常の膝関節面は、中脈および横方向の大腿骨の関節丘で脛骨で大腿骨の骨の間に配置される、そこにおいて、人工膝関節は、より配置されるのに適している頭蓋インプラントされるときに、通常の横方向で中間の関節面である。
【００６８】
一実施例によれば、医療装置は、両方の大腿骨の関節丘を含んでいる大腿骨の皮質骨の少なくとも２枚の層によって配置されるのに適している横部材から成り、そこにおいて、横部材は、少なくとも部分的に人工膝関節または人工十字型の靭帯を保つことに関係しているのに適している一部を保っている少なくとも一つの人工膝関節または十字型の靭帯から成る。
【００６９】
一実施例によれば、横部材は、少なくとも一つの人工膝関節面から成る。
【００７０】
一実施例によれば、インプラントされるときに、人工膝関節は１本の一つの人工膝関節を通常の膝関節の中に存在している２つの横方向の接触表面および２つの中間の接触表面を置き換えるのに適している２つの接触関節面により形成する。
【００７１】
一実施例によれば、骨髄に置かれる骨固定デバイスの一部は、その細長い部分の一つ以上に沿って、少なくとも一つの半径調整から成り、大腿骨または脛骨の骨の骨髄においてインプラントされるときに、細長い部分の一つ以上に沿って骨の内部から、皮質骨の方へ骨固定デバイスを固定させるために、実質的に横最大半径を調整するために構成されるかまたは少なくとも骨固定デバイスの中心の軸に関して、明らかに曲げられる。
【００７２】
一実施例によれば、その細長い部分の一つ以上に沿って、骨髄に置かれる骨固定デバイスの一部は、脛骨または大腿骨の骨の内部から皮質骨を接触させるのに適している皮質骨接触表面から成り、皮質骨接触表面および骨固定デバイスの関連した材料は、皮質骨に関してサスペンションを有し、サスペンションは、大腿骨または脛骨の骨の骨髄にインプラントする際、皮質骨の方の骨固定デバイスの輪止めを吸収している固定のために、細長い部分の一つ以上に沿った骨固定デバイスの屈曲可能な一部および弾力的な一部を有する。
【００７３】
一実施例によれば、全体として横部材の伸長の４つの表層から、医療装置は、大腿骨の骨の末端部分の少なくとも３枚の層の皮質骨によって配置されるのに適している横部材から成り、そこにおいて、横部材は、大腿骨の皮質骨の少なくとも４枚の層のうちの少なくとも１枚に横部材の固定に関与しているのに適している少なくとも一つの固定部から成り、そして、横部材は、人工膝関節および人工の十字型の靭帯サポートのうち、少なくとも一つのものに関係する。
【００７４】
一実施例によれば、横部材は、人工膝関節の回転中心から成るのに適している。
【００７５】
一実施例によって、横部材が他の人工膝関節面によって関節があるのに適している人工膝関節面から成ること骨固定デバイスの一部である。
【００７６】
一実施例によれば、骨固定デバイスは、脛骨または大腿骨の骨において穿設することが可能である。
【００７７】
一実施例によれば、医療装置は、その第一端部を有する人工の十字型の靭帯サポートに固定するのに適している少なくとも一つの人工十字型の靭帯から更に成る。
【００７８】
一実施例によれば、第二の十字型の靭帯端（第一の十字型の靭帯端に対する対向端部に配置される）は、脛骨であるか大腿骨の骨の骨チャネルによって上がられて、インプラントされるときに、骨チャネルを通過した後に骨チャネルの内部、そして、膝関節の外側のうち、少なくとも一つの骨に固定するために構成される。
【００７９】
一実施例によれば、前で後方十字型の靭帯は、人工の十字型の靭帯サポートに固定する。
【００８０】
一実施例によれば、膝関節は、両方とも内側大腿骨の関節丘および横方向の大腿骨の関節丘の位置に置かれる大腿骨の関節面および脛骨関節面を有し、骨固定デバイスは少なくとも一つの人工関節面をサポートし、横方向で内側大腿骨の関節丘の位置のうちの少なくとも１つに置かれて、骨固定デバイスに接続する。
【００８１】
一実施例によれば、少なくとも一つの人工関節面は、少なくとも横方向で内側大腿骨の関節丘の位置のうちの１つに置かれて、骨固定デバイスに固定する。
【００８２】
患者の膝関節の移植のための医療装置は、更に設けられている。
医療装置は、全体として横部材の延長に沿った４つの表層から、横部材は、大腿骨の骨の末端部分の少なくとも３枚の層の皮質骨で配置される、横部材から成る。
横部材は人工膝関節または人工十字型の靭帯に関係していてもよく、横部材は大腿骨の皮質骨の少なくとも４枚の層のうちの少なくとも１枚に横部材の固定に関与する少なくとも一つの固定部から成ってもよい。横部材を形成することによって、大腿骨の骨に対し、安定して固定される。
【００８３】
一実施例によれば、横部材は横方向で内側関節丘の間に位置し、および／または通常の横方向で中間の関節面の間に位置する人工関節に関係し、および／または、頭蓋膝関節の本来の関節面に配置される。
【００８４】
一実施例によれば、横部材は、人工膝関節の回転中心から成る。
【００８５】
一実施例によれば、横部材は、大腿骨の骨の末端部分の４枚の層の皮質骨によって配置される。
【００８６】
一実施例によれば、横部材は、脛骨に固定する他の人工膝関節面によって関節があるのに適している人工膝関節面から成る。
【００８７】
一実施例によれば、横部材は、人工膝関節を保つことに関係しているのに適している一部を保っている人工膝関節から成る。
【００８８】
一実施例によれば、横部材は、大腿骨の骨の末端部分の３枚の層の皮質骨によって配置されて、大腿骨の骨の末端部分の皮質骨の第四層に固定する。
【００８９】
一実施例によれば、横部材は、大腿骨の骨の末端部分の第一の関節丘の２枚の層の皮質骨を通して配置され、脛骨に固定する人工の膝関節部材を通して配置され、大腿骨の骨の末端部分の第二の関節丘の皮質骨の少なくとも３分の１層を通して、配置または固定される。
【００９０】
一実施例によれば、横部材は、大腿骨の骨の末端部分の第一の関節丘の２枚の層の皮質骨を通して配置され、脛骨に固定する人工の膝関節部材を通して配置され、大腿骨の骨の末端部分の第二の関節丘の皮質骨の３枚目の層を通して配置され、そして、大腿骨の骨の末端部分の第二の関節丘の皮質骨の４分の１層を通して、配置または固定される。
【００９１】
一実施例によれば、横部材は内側で横方向の関節丘との間の領域の大腿骨の固定デバイスに接続しており、それが関節の更なる安定を可能にする。
【００９２】
一実施例によれば、横部材は、内側で横方向の関節丘との間の領域の脛骨固定デバイスに接続しており、それが関節の更なる安定を可能にする。
【００９３】
一実施例によれば、人工膝関節は、横部材および脛骨固定デバイス間の接続から成ってもよい。
【００９４】
一実施例によれば、医療装置は、第一の十字型の靭帯端に横部材に固定するのに適している少なくとも一つの人工十字型の靭帯から成ってもよい。
【００９５】
一実施例によれば、第二の十字型の靭帯端は、第一の十字型の靭帯端の、対向端部に配置されてもよく、インプラントする際、脛骨の骨チャネルで取り付けられるのに適していて、内側に、または、骨チャネルの外側に渡った後に骨まで固定する。
【００９６】
一実施例によれば、医療装置は、配置されて、脛骨において固定する脛骨固定デバイスから成り、第二の十字型の靭帯端は、インプラントする際、第一の十字型の靭帯端に対する対向端部に配置されてもよい脛骨固定デバイスに取り付けられる。
【００９７】
一実施例によれば、横部材は、大腿骨の横方向の関節丘で人工膝関節面につながる。
【００９８】
一実施例によれば、横部材は、大腿骨の内側関節丘で人工膝関節面につながる。
【００９９】
一実施例によれば、医療装置は、大腿骨の横方向の関節丘に配置される人工膝関節面から成る。
【０１００】
一実施例によれば、先行するいずれか一項の請求項に記載の医療装置は、大腿骨の内側関節丘で場所に適している人工膝関節面から成る。
【０１０１】
一実施例によれば、医療装置は、更に２つの人工十字型の靭帯を有し、前部及び後部十字型の靭帯は、横部材の同じであるか異なる位置、少なくとも１つに固定するのに適している。
【０１０２】
一実施例によれば、横部材は、前方および後部方向に伸びる細長い一部を有し、
、十字型の靭帯の異なる位置に適応するために内側関節丘の間に配置されるために構成される。
【０１０３】
本願明細書において実施例のいずれかにおいて、様々な弾力は、骨の方の輪止めを吸収している力のための道具としての重要な役割を演ずることができる。構造は、同じ目的を達成する多くの異なる方法でされることができる。好ましい、この構造は、本願明細書において実施例のいずれかに従って、半径調整装置と結合される。様々な弾力は様々な弾力をつくっている異なる技術を使用して成し遂げられてもよい、そして、本発明は本願明細書において開示される実施例に限られていてはならない。様々な弾力と同様に類似の結果はバネ・サスペンションを含んでいるいかなる種類ものサスペンションによって成し遂げられてもよい、そして、構造は同じ結果を成し遂げて屈曲可能でもよいか可撓性でもよい。
【０１０４】
実施例、特徴、方法、付随するシステムの実施例または一部は、一部分は、本願明細書において記載されているシステムの中で、いかなる形であれ結合されることができる。
【図面の簡単な説明】
【０１０５】
以下、本発明を図面に基づいて説明する。
【０１０６】
【図１】図１は、外科的方法の切り込みが実行された患者の右脚の前方図を示す。
【０１０７】
【図２】図２は、骨をマークしている点線および骨においてつくられる骨チャネルをもつ患者の脚部を示す。
【０１０８】
【図３ａ】図３ａは、患者の脚部の後部の断面図を示す。
【０１０９】
【図３ｂ】図３ｂは、特許の脚部の側面の断面図を示す。
【０１１０】
【図４ａ】図４ａは、患者の脚部の後部の断面図を示す。
【０１１１】
【図４ｂ】図４ｂは、特許の脚部の側面の断面図を示す。
【０１１２】
【図５ａ】図５ａは、もっと詳細に医療装置の実施例を示す。
【０１１３】
【図５ｂ】一実施例による医療装置がインプラントされるときに、図５ｂは特許の脚部の側面の断面図を示す。
【０１１４】
【図６】一実施例による医療装置がインプラントされるときに、図６は特許の脚部の側面の断面図を示す。
【０１１５】
【図７ａ】図７ａは、一実施例による医療装置がインプラントされたときの、患者の脚部の後部の断面図を示す
【０１１６】
【図７ｂ】図７ｂは、もっと詳細に一実施例に従って骨固定デバイスを示す。
【０１１７】
【図８ａ】図８ａは、一実施例による医療装置がインプラントされたときの、患者の脚部の後部の断面図を示す。
【０１１８】
【図８ｂ】図８ｂは、もっと詳細に一実施例に従って骨固定デバイスを示す。
【０１１９】
【図９ａ】図９ａは、一実施例による医療装置がインプラントされたときの患者の脚部の後部の断面図を示す。
【０１２０】
【図９ｂ】図９ｂは、もっと詳細に一実施例に従って骨固定デバイスを示す。
【０１２１】
【図１０ａ】図１０ａは、一実施例による医療装置がインプラントされたときの患者の脚部の後部の断面図を示す。
【０１２２】
【図１０ｂ】図１０ｂは、一実施例による医療装置がインプラントされたときの、特許の脚部の側面の断面図を示す。
【０１２３】
【図１１】図１１は、人工関節面がインプラントされたときの、患者の脚部の後部の断面図を示す。
【０１２４】
【図１２ａ】図１２ａは、一実施例による医療装置がインプラントされたときの、患者の脚部の後部の断面図を示す。
【０１２５】
【図１２ｂ】図１２ｂは、一実施例による医療装置がインプラントされたときの、特許の脚部の側面の断面図を示す。
【０１２６】
【図１３ａ】図１３ａは、人工十字型の靭帯がインプラントされたときの、患者の脚部の後部の断面図を示す
【０１２７】
【図１３ｂ】図１３ｂは、人工十字型の靭帯がインプラントされたときの、特許の脚部の側面の断面図を示す。
【０１２８】
【図１４】図１４は、人工十字型の靭帯がインプラントされたときの、患者の脚部の後部の断面図を示す。
【０１２９】
【図１５】図１５は、人工十字型の靭帯がインプラントされたときの、患者の脚部の側面の断面図を示す。
【０１３０】
【図１６ａ】図１６ａは、一実施例に従って、第一の状態における半径調整部材を更に詳細に示す。
【０１３１】
【図１６ｂ】図１６ｂは、一実施例に従って、第二の状態における半径調整部材を更に詳細に示す。
【０１３２】
【図１７ａ】図１７ａは、一実施例に従って、第一の状態における半径調整部材を更に詳細に示す。
【０１３３】
【図１７ｂ】図１７ｂは、一実施例に従って、第二の状態における半径調整部材を更に詳細に示す。
【０１３４】
【図１８ａ】図１８ａは、一実施例に従って、第一の状態における半径調整部材を更に詳細に示す。
【０１３５】
【図１８ｂ】図１８ｂは、一実施例に従って、第二の状態における半径調整部材を更に詳細に示す。
【０１３６】
【図１９ａ】図１９ａは、一実施例に従って、第一の状態における半径調整部材を更に詳細に示す。
【０１３７】
【図１９ｂ】図１９ｂは、一実施例に従って、第二の状態における半径調整部材を更に詳細に示す。
【発明を実施するための形態】
【０１３８】
股関節およびその環境の分析は、更に以下で開示される：
マリーブその他、Ｈｕｍａｎ  Ａｎａｔｏｍｙ、２００３、ベンジャミン・カミングズ、サンフランシスコ、ページ１９５−２０２、そして、ムーアその他、Ｃｌｉｎｉｃａｌｌｙ  ｏｒｉｅｎｔｅｄ  ａｎａｔｏｍｙ，１９９９、リッピンコット、ウィリアムス及びウィルキンズ、ボルチモア、ページ５０１−６５３、であり、両者ともここに参照される。
【０１３９】
大腿骨の骨の長さ軸は、大腿骨の骨の近位の一部から大腿骨の骨の末梢部まで大腿骨の骨の長さの方向に伸びる軸として理解されることになっている。
【０１４０】
横方向の関節丘および内側関節丘の軸は、大腿骨の骨の長さ軸と直角をなす軸として理解されることになっている。本来の膝関節の機能的な膝動きは、横方向で内側関節丘の軸周辺で、中で実行される。
【０１４１】
生体親和性材料は、免疫反応の低レベルを有する材料であるとして理解されることになっている。生体親和性材料は、時々生体適合物質と呼ばれもする。類似している生物学的適合性の金属は、チタンやタンタルのような、低い免疫反応を持つ生物学的適合性の金属である。
【０１４２】
金属合金は、主要構成要素が金属である固溶体の２つ以上の部材の混成として理解されることになっている。鋼鉄合金は、それ故、構成要素のうちの１つが次々に鉄およびカーボンの合金である鋼である合金である。チタン合金は、それ故、構成要素のうちの１つがチタンである合金である。
【０１４３】
弾力は、弾力的な方法で変形する材料能力として理解されることになる。
【０１４４】
運搬面および重量運搬面は、前記膝関節内部で重量をもたらすのに適している表層として理解されることになる。
【０１４５】
機能的な膝運動は、少なくとも部分的に膝の本来の動きに対応する膝の動きとして理解されることになる。膝関節手術の後、場合によっては、膝関節の本来の動きはいくらか制限されたり変わるかもしれず、人工の表層を有する膝関節の機能的な膝運動が、本来の膝関節の機能的な膝運動とはいくらか異なることになる。
【０１４６】
移植可能医療装置または人工器官の機能的な位置は、膝関節が機能的な膝運動を実行することができる位置である。
【０１４７】
機能的な膝関節は、植設された医療装置または人工器官の有無にかかわらず機能的な膝運動を実行することができる膝関節である。
【０１４８】
前記医療装置が膝関節においてインプラントされるときに、完全な機能的なサイズは医療装置の寸法として理解されることになっている。
【０１４９】
実施例のいずれかによる医療装置の素材は、ポリテトラフルオロエチレン（ＰＴＦＥ）過フルオロ・アルコキシ（ＰＦＡ）、フッ化エチレン・プロピレン（ＦＥＰ）のうち、少なくとも一つの材質を用いてもよい。更には、素材に金属合金を用いることも可能であり、例えばコバルト−クロミウム−モリブデンまたはチタンまたはステンレス鋼、または、例えばクロスリンク・ポリエチレンまたはガス殺菌されたポリエチレンなどのポリエチレンなどが挙げられる。
接触表面または全ての医療装置で、例えばジルコニウムまたは二酸化ジルコニウム・セラミックまたはアルミナ・セラミックといったセラミック材料の使用は、考えられもする。人間の骨に対する医療装置の固定のための人間の骨と接触する医療装置の部分は、救貧院構造から成ってもよく、それは、医療装置を固定させるための医療装置の人間の骨の成長を促進するのに適している多孔性マイクロまたはナノ構造であってもよい。多孔質構造体は、ヒドロキシアパタイト（ＨＡ）層または粗い有孔のチタン層を塗布することによって提供されてもよく、それが、空気プラズマ噴霧、粗い開いた有孔のチタン・コーティングから成る組合せおよび表層が考えられてまた、あるＨＡによってできてもよい。
関節形成面は、例えば蝋様変性のポリマーなど、もともと滑らかな素材でできていてもよいし、例えば、潤滑油を吹き込まれた、ＰＴＦＥ、ＰＦＡ、ＦＥＰ、ＰＥおよびＵＨＭＷＰＥ、または粉末冶金材料でもよく、潤滑油は、例えばヒアルロン酸派生物など生物学的適合性の潤滑油が好ましい。本願明細書において医療装置の接触部分または表層の材料が常に、または、断続的に潤滑剤を塗られるのに適していることは、考えらる。ある実施例によれば、医療装置の部分または部品は、金属材および／または炭素繊維および／またはホウ素の組合せ、金属およびプラスチック材料の組合せ、金属およびカーボンを主成分とする材料の組合せ、カーボンおよびプラスチックを主成分とする材料の組合せ、可撓性のものと固い材料の組合せ、弾性のものとあまり弾力的でない材料の組合せ、コリアンまたはアクリル系ポリマから形成されてもよい。
【０１５０】
以下において、実施例の詳細な説明は、述べられる。図面において、参照番号の様に、数桁の全体にわたって同一であるか対応する部材を示す。これらの図が例示目的のためにあって、本発明の範囲をいかなる形であれ制限していないことはいうまでもない。このように、方向のいかなる参照も、例えば「上へ」または、「下って」図に示される方向に関連しているだけである。また、いかなる寸法もなど。図において、目的は、説明のために示される。
【０１５１】
図１は、患者の右脚を示す。末梢部を有する大腿骨の骨１０２は、横方向の関節丘１０５、内側関節丘１０６および前記横方向で前記内側関節丘１０９間の領域から成る。大腿骨の骨１０２の末梢部の部分に、膝関節の接触表面が設けられている。膝関節はさらに、膝蓋骨１０１から成る。そして、それは大腿骨１０２をと関節でつながる三角形骨であって、膝関節に適用されて、保護する。膝関節にはまた、骨の端が互いにすれ合うことから保護するために、関節形成面として役立つ膝関節の範囲内の軟骨性の部材である半月板１０７、１０８が設けられている。半月板１０７、１０８も膝関節の緩衝装置として作用する。そして、患者の変化からショックを吸収する。２つの半月板１０７，１０８が、各膝、内側半月板１０７および外側半月板１０８にある。骨関節炎患者において、すなわち関節形成面として重量運搬面を行う半月板１０７、１０８は摩滅される、そして、極端なケースで、骨は関節において露出することがありえる。膝関節は、膝関節カプセル１３２、別名膝関節の関節カプセルまたは膝関節の被膜靭帯、によって保護されている。膝関節カプセル１３２は、幅が広くて、弛緩しており、正面と側面で薄く、そして、膝蓋骨１０１、靭帯、半月板１０７，１０８および白い繊維様薄紙でできている小さい流体充填嚢である包を含む。膝関節カプセル１３２は、脂肪沈澱物によって前部および後部に切り離された滑液および繊維性膜から成る。
【０１５２】
図２は、左下肢、大腿骨の骨１０２、脛骨１０４、腓骨の骨１０３および膝蓋骨の骨部材を示している点線をもつ患者の左下肢を示す。大腿骨の骨１０２に、骨チャネルＢは、大腿の正面の領域から骨において穿設され、第一の皮質骨を貫き、大腿骨の骨１０２の海綿質骨に入り、実質的にその延長において、大腿骨の骨内部に達し、好ましくは、横方向と内側の関節丘の間の領域において大腿骨の骨１０２の末端の皮質骨を貫き、脛骨の近位部分の皮質骨を貫通し、実質的にその延長の脛骨１０４の海綿質骨に入る。
【０１５３】
図３ａは、例えば、図２に関して記載されているように、骨チャネルＢが骨において製作された患者の脚部の前方図を示す。大腿骨の骨固定デバイス２０１は、大腿骨の骨１０２の中央の部分の領域など、膝関節に近い領域に、大腿骨の骨１０２の髄の海綿質骨に、皮質の大腿骨の骨１０２を通って導入される。大腿骨の骨固定デバイス２０１は、皮質骨を通って骨髄を出て、通常の膝関節内部の領域を出て、横方向と内側の関節丘の間の領域としてここに示される、横方向と内側の関節丘の間の領域に出た。図３ａに示される大腿骨の骨固定デバイスに、人工膝関節の少なくとも１部をつくっている人工膝関節面２０４ａが設けられている。しかしながら、他の実施例では、大腿骨の骨固定デバイス２０１が、少なくとも一つの人工膝関節面のサポートとして、または、少なくとも一つの人工膝関節十字型の靭帯のサポートとして用いられてもよい。
【０１５４】
図３ａの図示した実施例において、脛骨固定デバイス２０５は、脛骨１０４の中央の部分といった領域など、膝関節から遠位の領域で、皮質の脛骨１０を通り、脛骨１０４の髄の海綿質骨に更に導入された。脛骨固定デバイス２０５は、通常の膝関節内部の領域に出る皮質骨を通って、骨髄を出て、ここ、脛骨平坦部の中央として示される領域に出た。
図３ａに示される脛骨固定デバイスに、人工膝関節の少なくとも１部をつくっている人工膝関節面２０４ｂが設けられている。しかしながら、他の実施例では、脛骨固定デバイス２０１が、少なくとも一つの人工膝関節面のサポートとして、または、少なくとも一つの人工膝関節十字型の靭帯のサポートとして用いられてもよい、
【０１５５】
図３ａの図示した実施例によれば、大腿骨の骨固定デバイス２０１および脛骨固定デバイス２０５は、大腿骨の骨固定デバイスによって、人工膝関節面２０４ａおよび人工膝関節面２０４ｂを具備する脛骨固定デバイスを含め、人工膝関節を形成するための各々に可動に接続している。膝関節が弱められるか、または本来の膝関節が着用される場合や、人工膝関節と置き換えられる場合、人工関節によって楽にされてもよいように、本来の膝関節において中間に配置される人工膝関節は、本来の膝関節を援助するかまたは置き換える。本来の膝関節において中間に配置される人工膝関節は、膝関節が弱まった場合、人工関節によって楽になったり、本来の膝関節がすり減った場合、人工膝関節に替えるなど、本来の膝関節を援助するかまたは置き換わるものである。大腿骨２０１および脛骨２０５の固定部材は、例えば骨セメントなどの接着剤を用いることによって、必要に応じてサポート力を高め、人工膝関節の安定固定を提供する。
【０１５６】
一実施例（図示せず）によって、脛骨２０５の中で一つ、そして、大腿骨２０１、固定装置は膝関節の領域の第一の皮質骨に固定するだけであるのに適している、それの表層を本部の前に現れることは膝関節の中で配置する。この実施例は、たとえ単一の穴、すなわち大腿骨の骨固定デバイス２０１および脛骨固定デバイス２０５の間に配置される人工の膝関節２０４ａ／２０４ｂを含む各々に前載置されている大腿骨の骨固定デバイスおよび脛骨固定デバイスとしても全ての骨固定デバイスが大腿骨であるか脛骨に入っている実施例の症例のために考えられることができる。
【０１５７】
別の実施例では、大腿骨の骨固定デバイス２０１および脛骨固定デバイス２０５の間に配置される人工膝関節は、可動に脛骨固定デバイス２０５および大腿骨の骨固定デバイス２０１に接続している別々の部材である。
【０１５８】
図３ａの図示した実施例による大腿骨の骨固定デバイス２０１は、大腿骨と脛骨固定デバイスの部分である第一の２０８ａ、２０９ａと第二の２０８ｂ、２０９ｂとの間、それぞれに運動を許容し、更に第二の関節２０３ａ、２０３ｂから成る。
【０１５９】
図３ｂは、大腿骨の骨固定デバイス２０１から成る医療装置および脛骨固定デバイス２０５が骨チャネルＢに置かれた際の、患者の脚部の断面を示す。図３ｂにおいて図示した実施例によれば、骨チャネルが一方向からつくられ、チャネルをクレートに詰めている部材が１つの位置だけの大腿骨の骨１０２の皮質骨に入り、このように、図２に関して開示されるように、更にチャネルＢを作成する。
【０１６０】
大腿骨の骨固定デバイス２０１および脛骨固定デバイスを具備する医療装置は、大腿骨の骨の皮質骨の入力穴によるチャネルＢに置かれた。医療装置は予めマウントされており、そうすることで、大腿骨の骨固定デバイスおよび脛骨固定デバイスは大腿骨の骨１０２の穴に医療装置の導入の前にそれぞれ互いに前取付けられられる。図３ｂにおいて図示した実施例によれば、大腿骨の骨固定デバイス２０１および脛骨固定デバイス２０５は、大腿骨の骨固定デバイス２０１によって人工膝関節を形成するために人工膝関節面２０４ｂから成る人工膝関節面２０４ａおよび脛骨固定デバイス２０５から成って、各々に可動に接続している。人工膝関節は、本来の膝関節を援助するかまたは入れ替わる形で、本来の膝関節の中心部分に配置され、もし膝関節が弱った際には人工関節によって補助され、また、本来の膝関節がすり減った場合は人工膝関節に置き換えられる。大腿骨の２０１および脛骨２０５の骨固定デバイスは、必要に応じて、例えば骨セメントなどの接着剤でサポートを強化できるようにし、人工膝関節の安定固定を提供する。
【０１６１】
図３ａおよび３ｂにおいて、大腿骨の２０１および脛骨２０５の骨固定デバイスは、細長い部分に沿って骨の内部から、皮質骨の方へ大腿骨の２０１および脛骨２０５の骨固定デバイスを固定させるために、骨固定デバイスの中心の軸に関して実質的に横であるか少なくとも明らかにある角度をなす最大半径を調整するのに適している半径調整装置２０２または膨張部材２０２によってそれぞれ大腿骨で脛骨の内部に固定する。半径調整装置の詳細は、図１６ａ−１９ｂにもっと詳細に記載されている。
【０１６２】
図４ａおよび４ｂは、実施例において固定装置２０１、２０５が、図３ａおよび３ｂに関して先に述べたものと類似することを、４ａおよび４ｂにおいては相違することを述べており、骨チャネルＢは、上方から作成され、大腿骨の骨１０２に入り、そして下方から、脛骨１０４の穴への脛骨固定デバイス２０５の導入を可能にし、脛骨１０４に入り、そして、脛骨１０４の穴による大腿骨の骨固定デバイス２０１の導入、大腿骨の骨固定デバイス２０１が人工の大腿骨の関節面および脛骨固定デバイス２０５を有する場合に、人工膝関節を形成するために、人工関節を形成するための付加的な一部に接続することか、または単に相互に接続することによって、人工の脛骨関節面は、本来の膝関節の中で会う。
【０１６３】
図５ａおよび５ｂは、もっと詳細に、第二の関節２０３ａ、２０３ｂを示す。第二の関節２０３ａ，ｂは、それぞれ第一の２０８ａ、２０９ａおよび第二の２０８ｂ（大腿骨で脛骨固定デバイスの２０９ｂ部分）との間に運動を許容する。第二の関節は、大腿骨の骨固定デバイス２０１および脛骨固定デバイス２０１の表層２０４ａ，ｂから成る人工膝関節の位置の正確な調整を可能にすることができる。回転中心が本来の股関節の本来の動きと一致するために人工膝関節の動きの右側の場所においてあることを必要とした時から、調整は非常に重要であることができる。第二の関節は、骨チャネルＢによる、または、電気手段（例えばそれぞれ大腿骨のおよび／または脛骨固定デバイスに組み込まれるモーターまたはソレノイド）を用いた手段に達しているツールによって、例えば手動で調節可能であることができる。電気手段は、患者の外側に遠隔であるか有線の制御を有する制御装置を介して通信することができる植込み型電池を使用して作動されることができる。電気ものは無線エネルギーの形で直接の動作によって操作されることを意味する別の実施例において、例えば、起電物体に影響を及ぼしている磁力または誘導は、それぞれ大腿骨の２０１および／または脛骨２０５台の固定装置の一部であることを意味する。
【０１６４】
図６は、第２の関節２０３ａ、２０３ｂが、大腿骨の骨固定デバイス２０１および脛骨固定デバイス２０５の関節面２０４ａ，  ２０４ｂを有する人工膝関節を配置するために用いられるときの、図５ｂに関して図示した実施例と類似の実施例の医療装置を示す。
【０１６５】
図７ａは、人工膝関節をつくるための医療装置がインプラントされた患者の脚部の後部図を示す。医療装置は、大腿骨の骨１０２の末端部分の４枚の層の皮質骨１１１ａ、１１１ｂ、１１１ｃおよび１１１ｄとを通り、横部材２２１の延長に沿って、全体として４表層の外にデルよう配置された、横部材２２１から成る。横部材２２１は、横方向で内側関節丘の中間に配置される人工膝関節に関係しているのに適している。図７ａの図示した実施例において、横部材２２１の一端は、一定の停止２２６から成るが、横部材２２１の他端は、４つが皮質骨１１１ａ−ｄの中で階層化しているにもかかわらず、ナット２２５が穴の横部材を固定させるために取り付けられる雌ねじ部から成る。
【０１６６】
図７ａの図示した実施例にれば、横部材２２１は、横方向で内側関節丘との間に配置される人工関節に関係していて、通常の横方向で中間の関節面との間に、膝関節の本来の関節面の頭方向に配置されるのに適している。
【０１６７】
図７ａの図示した実施例によれば、横部材２２１は、回転中心から成って、人工膝関節を作成するための横部材によって関節があるのに適しているＵ型の部分２２２を有する一部の脛骨固定部材２０５で、部分的に取り囲まれている。
【０１６８】
他の実施例において、（図示せず）横部材２２１は保持人工膝関節に関係しているのに適している人工膝関節を保っている一部から成るのに適している。その場合には、人工膝関節は付加的なパットから成る。
【０１６９】
図７ｂは、もっと詳細に人工膝関節をクレートに詰めるための横部材２２１で関節があるのに適しているＵ型の部分２２２から成る脛骨固定デバイス２０５を示す。脛骨固定デバイス２０５は、実質的に横最大半径を調整するために構成されるかまたは少なくとも細長い部分に沿って骨の内部から、皮質骨の方へ脛骨固定デバイス２０５を固定させるために、脛骨固定デバイス２０５の中心の軸に関して明らかに曲げられる半径を調整している部材２０２または膨張部材２０２から成る。図７ｂに示された実施例によれば、半径調整部材２０２は、例えば脛骨固定デバイス２０５に組み込まれるモーターまたはソレノイドなどの電気手段によって作動される。電気手段は、患者の外側上の遠隔制御装置２１２を有する制御装置を介して通信することができる植込み型電池を使用して作動されることができる。電気ものは無線エネルギーの形で直接の動作によって操作されることを意味する別の実施例において、例えば、起電物体に影響を及ぼしている磁力または誘導は、脛骨２０５台の固定装置の一部であることを意味する。半径調整装置の詳細は、図１６ａ−１９ｂに関してもっと詳細に記載されている。
【０１７０】
図８ａは、図７ａに関して記載されている実施例と類似の実施例を示すが、その横部材２２１が、大腿骨の骨１０２の末端部分の３枚の層の皮質骨１１１ａ−ｃで配置されて、骨の固定に適している雌ねじ部２２７ａによって１１１ｄ第四層に固定するという部分で異なる。
【０１７１】
図８ｂに示される脛骨固定部材２０５は図７ｂの脛骨固定部材と同一であり、このように、横部材の固定から独立している構造を有する。
【０１７２】
図９ａは、図７ａに関して記載されている実施例と類似の実施例を示すが、その横部材２２１は、大腿骨の骨１０２の末端部分の２枚の層の皮質骨１１１ａ−ｂで配置されて、骨の固定に適している雌ねじ部２２７ａによって第３の層１１１ｃに固定するという部分で異なる。
【０１７３】
図９ｂに示される脛骨固定部材２０５は図７ｂの脛骨固定部材と同一であり、このように、横部材の固定から独立している構造を有する。
【０１７４】
図１０ａは、図７ａ、８ａおよび９ａに関して図示した実施例と類似の医療装置の実施例を示すが医療装置が、更に横部材２２１および脛骨固定デバイス２０５から成る人工膝関節を安定させるための大腿骨の骨固定デバイス２０１から更に成るという部分で異なる。大腿骨の骨固定デバイス２０１は、図３ａ−６に関して記載されている大腿骨の骨固定デバイスと類似しているが、脛骨固定デバイス２０５の最も遠位部分２２２ａは、Ｕ型であり、横部材２２１に位置する回転中心周辺で関節結合を成すために構成されるという部分で異なる。脛骨固定デバイスのＵ型の近位部分２２２ａは、大腿骨の骨固定デバイス２０１の末端部分のＵ型の部分と相互に作用するのに適しており、そして、実施例によっては、脛骨固定している部材２０５の近位部分２２２ａおよび大腿骨の固定部材２０１の末端部分２２２ｂが相互を接触させることができるように、脛骨固定している部材の近位部分２２２ａおよび大腿骨の固定部材の末端部分２２２ｂは、関節形成面から成ることができ、そして、脛骨固定している部材２０５の近位部分２２２ａの表層を支持している膝関節および横部材２２１を関節結合を成している大腿骨の骨固定している部材２０１の末端部分２２２ｂの中で表面をつけられる関節として関節があって、機能する。人工膝関節は、もちろん多くの異なる技術的な解決案から成ることができ、本願明細書において提供した解釈は、ただの例に過ぎない。
【０１７５】
図１０ｂは、医療装置の実施例を示し、患者の脚部の断面を更に示している中間の図、図１０に記載されている。図１０ｂの図示した実施例において、横部材２２１のまわりを回転することが本来の膝関節の変化に対応するように、回転中心は横部材２２１の領域において配置される。
【０１７６】
図１１は、横部材２２１が４枚の層の皮質骨（更に図７ａに関して開示されるように）によって固定する実施例を示す。横部材２２１が固定させるために用いる図１１の図示した実施例において、２３１ａ，ｂが部分的に少なくとも適応した人工膝関節面は、本来の膝関節面と入れ替わる。人工膝関節面２３１ａ，ｂは、大腿骨の骨の海綿質骨に入る固定用部品２３２によって固定するのに適しており、横部材２２１が皮質骨の第１層に固定用部品２３２の第一の人工的な膝関節面２３１ａ、皮質骨の第２層を貫き、横方向で内側関節丘との間に領域に出て、皮質骨の３枚目の層に入って貫き、第２の人工膝関節面２３１ｂの固定用部品２３２を貫通し、そして、人工膝関節面２３１ａ，ｂのステイビル固定を提供するための皮質骨の第四層を貫通する。図１１において図示した実施例において、横部材２２１の一端は、４枚の層の皮質骨でも横部材２２１の他端がナットが穴の横部材を固定させるために取り付けられる雌ねじ部から成るのに対して、一定の停止から成り、しかしながら、更に図８ａに関して記載されていているように、横部材２２１が大腿骨の骨１０２の末端部分の３枚の層の皮質骨で配置されて、骨の固定に適している雌ねじ部によって第四層に固定するのに適していることは等しく考えられる。横部材は、人工膝関節面２３１ａ、２３１ｂに非常に安定した固定を提供する、しかしながら、更なる固定が必要な場合、骨セメントのような接着剤を用いることによって、更なる固定が得られる。横部材２２１は、内側関節丘２３１ｂだけの場合、または横方向の関節丘２３１ａだけの場合、いずれにも人工膝関節面を固定させるために用いることができる。横部材は横方向であるか内側関節丘の両側上の２本の皮質骨にこの場合固定することができるだけである。但し、この実施例は好適な選択でない。さらに、横部材は、中脈および横方向の関節丘との間に同様に領域の人工の膝蓋骨膝面を固定させるために用いることができる（図示せず）。
【０１７７】
図１２ａは、一部の大腿骨のおよび／または脛骨固定デバイスが可変的な弾力を有する材料または材料の一部分から成る実施例に従って、医療装置を示す。図１２ａの図示した実施例において、部分２４２のの可変的な弾力を有する大腿骨の骨固定デバイス２０１から成っている材料または材料の一部が、より弾力的でない中心的な部分２４２を有し、その表層部分２４４が、可変的な弾力を有する脛骨固定デバイス２０５から成っている材料または材料の一部の部分２４１は、可変的な弾力を有する複数の部分から成る。骨のゆるむことまたは固定部材は、例えば落下しているかまたは腰を迅速に動かしている患者から股関節に配置されている異常な圧力によって誘導されることができる。大部分の固定装置はそれらが固定される骨より硬い材料から製造される。そして、それは固定装置および患者の骨との間に引き起こされる緊張を増す。部分２４１は、概略的にＩ−ＶＩＩと表示された、いくつかの断面から成る。この実施例によれば、部分２４１は金属的材料でできており、異なる断面が異なる特性を有するように、それは硬化される。異なる特性を有する明白な断面があるように、硬化プロセスはいくらか実行されることがありえるが、それは、考えられる非常に前記異なる所有物でもある連続的にすなわちそこの部分２４１／２４２が、むしろ連続的に部分２４１／２４２の全体にわたって所有物を変化させて、明白な寄宿生でないことを伝播する。他の実施例によれば、材料は、堅くされるかまたは股関節人工器官の異なる部分の異なる特性をつくるために引っ張られるポリマー材である。他の実施例によれば、股関節人工器官はセラミックまたは粉を主成分とする材料でできており、その場合、股関節人工器官は部分２４１／２４２の長さ軸に沿って伸びている異なる断面の異なる特性を生産するために硬化するか焼結することができる。近位断片ＩＩＩ−Ｖ人工膝関節が脛骨１０４においてより遠位で配置される半径を調整している部材２２２から成る固定用部品に関して微動するために脛骨固定デバイス２０５に固定するのを許すためにより弾力的であることが好ましい。部分２４１の中で末端部分Ｉ−ＩＩ、脛骨固定デバイス２０５の末端部分のより少ない弾性体と相互に作用するためにより、あまり弾力的でない方が好ましい。この様々な弾力は、骨の方の輪止めを吸収している力のための道具としての重要な役割を演ずることができる。解釈は、同じ目的を達成する多くの異なる方法でされることができる。半径調整装置によって結合する好ましいこの構築は、例えば、図３ａおよび３ｂの中で開示され、皮質骨の方の半径調整装置２０２または膨張部材２０２によって、骨調整装置の異なる部分に沿った骨の内部から、それぞれ大腿骨で脛骨の内部に固定する大腿骨の２０１および脛骨２０５の骨固定デバイスを示す。半径調整装置または膨張部材の詳細は、図１６ａ−１９ｂにより詳細に記載されている。これらの半径調整装置または拡大している部材は、弾力を変化させる技術を使用して好ましい。様々な弾力と同様に類似の結果はいかなる種類ものサスペンションを含んでいるバネ・サスペンションによって成し遂げられることもできる、そして、構築は同じ結果を成し遂げて屈曲可能であるか可撓性でもよい。図１６ａ−１９ｂを参照。
【０１７８】
図１２ｂは、様々な弾力を有する部分２４１／２４２を側面図に含んでいる医療装置を示す。様々な弾力は、落下している患者によって例えば誘導される大きな圧力を吸収するために、非常に有利であることができる。様々な弾力を有する部分２４１／２４２が、本願明細書において開示される実施例のどれにでもおいて使われることができる。
【０１７９】
図１３ａ、１３ｂは、図３ａ、３ｂに関する後部と中間の図において、以前記載されている実施例と類似の医療装置の実施例を示す。大腿骨の骨固定デバイス２０１のその末端部分２５１である違いは人工十字型の靭帯２５３を保つのに適している人工十字型の靭帯を保っているパート２５１から成る。そして、それは順繰りに、膝関節を安定させるのに適している。さらに、脛骨固定デバイス２０５の近位部分２５２は人工の十字型の靭帯を保っているパート２５２から成る、そして、人工十字型の靭帯２５３はこのように大腿骨の骨固定デバイス２０１の末端部分の十字型の靭帯を保っているパート２５１および脛骨固定デバイス２０５の近位部分２５２によって適当に保たれる。保持人工十字型の靭帯２５３のための大腿骨で脛骨固定装置２０１、２０５を用いて、人工十字型の靭帯は、安定な固定装置によって適当に保たれる。骨固定デバイス２０１、２０５は前人工十字型の靭帯または後方人工十字型の靭帯に穴をあけるのに適していることができる、または、両方の前で後方人工十字型の靭帯が固定装置２０１、２０５に固定することができるように、骨固定デバイス２０１、２０５は構成されることができる。特に前方後部方向において、異なる位置に取り付けられるのが好ましい。
【０１８０】
図１４は横部材２２１（以前図７ａ、８ａ、９ａ、１０ａ、１１および１２ａに関して開示されるように）が人工十字型の靭帯２５３を固定させるのに適している実施例を示す。そして、それは前人工十字型の靭帯または後方人工十字型の靭帯または両方の前で後方人工十字型の靭帯であることができる。両方とも前方後部方向および中間の横方向の方向の異なる位置上に取り付けられることが、好ましい。支持部２５６は、異なる方向へ延長されることができる。横部材は安定固定部材を人工十字型の靭帯２５３に提供する。そして、他端においてそれは脛骨固定デバイス２０５に固定する。別の実施例において、十字型の靭帯は本来の十字型の靭帯である、そして、横部材２２１は本来の十字型の靭帯の動きを支持するだけである。更に他の変形例において十字型の靭帯は、「本来の」人工十字型の靭帯を作成するために用いる一部の膝蓋骨張筋である。
【０１８１】
図１５は近端部の人工十字型の靭帯が十字型の靭帯を保っているパート２５１から成る大腿骨の骨固定デバイス２０１に固定する実施例を示す、そして、人工十字型の靭帯の末端は骨チャネルＢ２において、または、骨チャネルＢ２を通して固定される。図１５の図示した実施例において、十字型の靭帯２５３は固定ボタンによって固定する。そうすると、十字型の靭帯２５３は骨チャネルＢ２に後方へ下がるのを妨げられる。
【０１８２】
図１６ａは、患者の皮質骨の内部に骨固定している部材（アプリケーションの全体にわたる２０１、２０５）を固定させるための半径調整部材を示す。拡大している部分６５４および拡大している部分６５４上の骨接触表面６５５から成る半径調整部材。骨接触表面６５５が骨の内部に骨固定デバイスを固定させるための骨の内部と接触して配置されるように、拡大している部分６５４は患者の骨に少なくとも部分的に嵌入されて、骨の範囲内で拡大するのに適している。半径調整部材は中央に配置された縦軸を有する、そして、拡大している部分６５４は複数の拡張部材６５８ａ−ｄ（縦軸６５６から離れて放射状に拡大するのに適している）から成る。半径調整部材を使用することに関する１つの効果は、骨セメント（通常固定目的のために使用する）が骨セメントを掘り出していて、このように固定の中でゆるむことが生じている身体の大食細胞反応を引き起こすことができるということである。他の固着は、骨を貫通している整形ネジを使用している固着のような、医療装置の異物を拒絶している身体の反応を引き起こすこともできる。骨セメントの使用および整形ネジを除去して、安定した固定を作成することが非常に有利であるという同じ時で、さらに、落下している患者から例えば力への露出に応答して固定において微動する能力を有する固定を引き起こすことは、さらにより有利である。
【０１８３】
図１６ａ／１６ｂの図示した実施例による半径調整部材は拡大している部分５６４を作動するのに適している稼働中の装置６５９から更に成る、実施例に従って図１６ａにおいて示す、１６ｂこと、稼働中の装置６５９は拡大している部分６５４を拡大するための拡大している部分６５４の対応する表層６６０を接触させるのに適している円錐部材６５９から成る。稼働中の装置６５９は、取付部分６５３の方向に中央に配置された縦軸６５６に沿って円錐部材６５９を移動するための円錐部材６５９の対応する雌ねじ部を係合するのに適している回転可能な雌ねじ部６６１から更に成る。雌ねじ部６６１は、一部の長形部材６６２である、中で図示した実施例に従っていずれ図３ａ、３ｂ長形部材６６２が雌ねじ部を回転させるための道具を使用して回転することがありえる、そして、このことにより移動する、円錐の部材６５９遠方端６５７からツール係合部分６６３を有する人工装具の最上部を接触させている部分４５まで達する。他の実施例によれば、稼働中の装置は、電気手段（例えば骨固定デバイスに組み込まれるモーターまたはソレノイド）を使用して作動されることができる。電気手段は、患者の外側に遠隔であるか有線の制御を有する制御装置を介して通信することができる植込み型電池を使用して作動されることができる。別の実施例において、電気手段は、無線エネルギー（例えば電気手段に影響を及ぼしている磁力または誘導）の形で、直接の動作によって作動される。
【０１８４】
骨接触表面６５５、中で図示した実施例に従って図１６ａ、１６ｂと部分的に少なくとも適応されるテーパー付き部材６６４が更に、特に軸方向に中央に配置された縦軸６５６に沿って、骨の骨固定デバイスを固定させるためにその内部の骨に入るように、針または釘から成る。他の実施態様において、示されなくて、骨接触表面は、医療装置の骨の内への成長を促進するのに適している多孔質マイクロ−またはナノ構造から成る。骨接触表面６５５は図１６ａの実施例に関して記載されてここにある、そして、１６ｂ、しかしながら、骨接触表面６５５の適合は本願明細書において開示される実施例の全てにおいて等しく適用できる。
【０１８５】
図１６ｂは図１６ａの図示した実施例に従って長形部材６６２がこの種のその雌ねじ部６６１が対応するものに影響を及ぼしている円錐部材６５９が浮上することを提議したツールまたは電気手段によって回転するときに、拡張部材６５８−ｄことを半径調整部材に明らかにする、そして、このように、この種のその骨接触表面６５５がそうである拡大している部分６５４を拡大することは大腿骨の骨の内部と接触して配置されるために適応した。
【０１８６】
図１７ａおよび１７ｂは図１６ａに関して開示される実施例と類似の実施例の医療装置を示す、そして、１６ｂ、しかしながら図１７ａおよび１７ｂの実施例で、医療装置の動作装置は拡大している部分６５４。を拡大するための円錐部材６５９を押圧するのに適している弾力的な動作装置６８０から更に成る。弾性部材は、骨５に半径調整部材の挿入の後、解除され、それによって、骨の内部の上に弾性力をもって押圧している骨接触表面６５５のために、拡張部材６５８ａ、６５８ｂ上の弾力的な圧力を作成する。弾力的な動作装置６８０は、ツールを有する長形部材６６２を回すことによって解除される図１７ａおよび１７ｂまたはツール係合部分６６３を係合している電気手段の図示した実施例に一致している。弾力的な部分は、弱まっている患者から例えば力への露出に応答して固定において微動する能力を有する骨に、半径調整部材の固定を可能にする。図１７ａおよび１７ｂに図示した実施例において、弾力的な動作装置６８０は、第一の弾力を有する線形ばねまたは非線形ばねを許容している第一の運動であることができるばねおよびより大きな力を必要とする第２の弾力を有する更なる運動である。弾力的な動作装置は、他の実施例に従って弾性体、例えばエラストマなどから成ることができる。
【０１８７】
図17bは、拡大している部分が骨の内部に対する発泡させたプレス骨接触表面であったように、弾力的な動作装置680が解除された医療装置を示す。
【０１８８】
図１８ａおよび１８ｂは、拡大している部分６５４が変形可能な拡大している部分６５４から成る実施例に従って、半径調整部材を示し、そこにおいて、拡大している部分は変形している変形可能な拡大している部分６５４によって拡大する。そうすると、骨接触表面６５５は大腿骨の骨に半径調整部材を固定させるための大腿骨の骨の内部と接触して配置される。それらが骨の内部と接触して配置されるように、変形可能な拡大している部分６５４は遠方端６５７をこのように放射状に拡大している部分６５４を押している骨接触表面６５５を拡大している取付部分６５３の方へ引っ張っているねじ部材６６１によって変形位置６８４で変形する。
【０１８９】
図１８ｂは、変形可能な拡大している部分６５４が骨の内部に対して骨接触表面６５５を押圧して拡大した医療装置を示す。
【０１９０】
図１９ａは、半径調整部材が中央に配置された縦軸６５６を有する実施例に従って、半径調整部材を示し、そこにおいて、半径調整部材は、複数の拡大している部分６５４−ｄを有し、医療装置の縦軸６５６に沿って軸方向にのびる。複数の拡大している部分６５４ａ−ｄは、半径調整部材の縦軸６５６に沿って軸方向にのび、拡大している部分は、異なる拡大をしている部分６５４ａ−ｄの異なる拡大を許容するように、互いに独立に放射状に拡大する。異なる拡大は、骨の内部の解剖の平坦でない表層に適応するために拡大している部分６５４ａ−ｄと認めることができる。異なる拡大している部分が互いに独立に拡大するので、その特定の拡大している部分の骨接触表面６５５が骨の内部の骨と接触して配置されるまで、１つの拡大している部分６５４ａは拡大する。そしてその後、もう一方拡大している部分６５４  ｂ−ｄそれらのそれぞれの骨接触表面が骨の内部と接触して配置されるまで、拡大することを続ける。各拡大している部分は、４つの拡大部材６５８ａ−ｄから成り、それぞれが円錐部材６５９の傾斜する表層６９６に対応する傾斜する表層６６０を有しており、円錐部材は、円錐部材６５９が取付部分６５３の方向に移動する縦軸６５６から、放射状に拡大部材を押圧する。
【０１９１】
図１９ｂは、拡大している部分６５４ａ−ｄが拡大し、骨の内部に対して骨接触表面６５５を押圧する医療装置を示す。
【０１９２】
実施例のいかなる実施例もまたは一部は、いかなる形であれいかなる方法もまたは方法の一部と同様に結合されることができることに留意いただきたい。本願明細書において全ての症例は、一般的説明の一部として見られなければならない。したがって、一般にいかなる形であれ組み合わさることは可能である。
【図１】
2018027396.tif 000003
【図２】
2018027396.tif 000004
【図３ａ】
2018027396.tif 000005
【図３ｂ】
2018027396.tif 000006
【図４ａ】
2018027396.tif 000007
【図４ｂ】
2018027396.tif 000008
【図５ａ】
2018027396.tif 000009
【図５ｂ】
2018027396.tif 000010
【図６】
2018027396.tif 000011
【図７ａ】
2018027396.tif 000012
【図７ｂ】
2018027396.tif 000013
【図８ａ】
2018027396.tif 000014
【図８ｂ】
2018027396.tif 000015
【図９ａ】
2018027396.tif 000016
【図９ｂ】
2018027396.tif 000017
【図１０ａ】
2018027396.tif 000018
【図１０ｂ】
2018027396.tif 000019
【図１１】
2018027396.tif 000020
【図１２ａ】
2018027396.tif 000021
【図１２ｂ】
2018027396.tif 000022
【図１３ａ】
2018027396.tif 000023
【図１３ｂ】
2018027396.tif 000024
【図１４】
2018027396.tif 000025
【図１５】
2018027396.tif 000026
【図１６ａ】
2018027396.tif 000027
【図１６ｂ】
2018027396.tif 000028
【図１７ａ】
2018027396.tif 000029
【図１７ｂ】
2018027396.tif 000030
【図１８ａ】
2018027396.tif 000031
【図１８ｂ】
2018027396.tif 000032
【図１９ａ】
2018027396.tif 000033
【図１９ｂ】
2018027396.tif 000034
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
哺乳類患者の人工膝関節面の固定を援助する医療装置であって、
前記生体膝関節面を少なくとも一部置換するのに適している少なくとも第１の人工膝関節面と、
全体として横部材の延長に沿った４つの表層から、大腿骨の末端部分の皮質骨の少なくとも３つの層を通して配置されるのに適している横部材と、
を備え、
前記人工膝関節面は、前記人工膝面と反対側の方向に延びている固定部材を備え、前記固定部材は、前記固定部材が前記大腿骨の第１の関節丘の海綿質骨に位置決めされた場合に、前記横部材を前記固定部材を通して配置して、前記人工膝関節面を固定できるように、前記大腿骨の前記第１の関節丘の前記海綿質骨に入るように適合され、
前記横部材は、前記横部材の固定に関与されるように適合された少なくとも一つの固定部を備える医療装置。
【請求項２】
前記人工膝面と反対側の方向に延びている固定部材を備える第２の人工膝関節面をさらに備え、前記固定部材は、前記固定部材が前記大腿骨の第２の関節丘の海綿質骨に位置決めされた場合に、前記横部材を前記固定部材を通して配置して前記第２の人工膝面を固定できるように、前記第２の関節丘の前記海綿質骨に配置されるように適合される、請求項１に記載の医療装置。
【請求項３】
前記横部材の前記固定部は、前記大腿皮質骨の前記４つの層のうちの少なくとも一つへの前記横部材の固定に関与されるように適合される、請求項１または請求項２のいずれかひとつに記載の医療装置。
【請求項４】
前記横部材は、全体として前記横部材の前記延長に沿った４つの表層から、前記大腿骨の前記末端部分の皮質骨の少なくとも４つの層を通して配置されるように適合される、請求項１〜２のいずれかひとつに記載の医療装置。
【請求項５】
前記横の前記固定部は、前記大腿骨の前記末端部分の皮質骨の前記４つの層を通した前記穴への前記横部材の固定に関与されるように適合される、請求項４に記載の医療装置。
【請求項６】
前記皮質骨の４つの層を通した前記穴への前記横部材の固定に関与されるように適合された第２の固定部を備える、請求項５に記載の医療装置。
【請求項７】
前記第１の固定部は、ナットに取り付けられるように適合されたねじ部を備える、請求項５または６に記載の医療装置。
【請求項８】
前記第２の固定部は一定の停止を備える、請求項６または７に記載の医療装置。
【請求項９】
前記第１および第２の固定部は、前記横部材の遠位端に配置される、請求項６〜８のいずれかひとつに記載の医療装置。
【請求項１０】
前記皮質の脛骨を介して、前記膝関節に対して遠位側の領域における前記脛骨の骨髄に導入されるように適合された脛骨固定デバイス、および
前記皮質の大腿骨を介して、前記膝関節に対して近位側の領域における前記大腿骨の骨髄に導入されるように適合された大腿骨固定デバイス、
のうちの少なくとも一方を備える骨固定デバイスをさらに備え、
前記骨固定デバイスは、前記正常な膝関節内部の領域部位における前記皮質骨を介して前記骨髄から出るようにさらに適合される、請求項１〜９のいずれかひとつに記載の医療装置。
【請求項１１】
前記横部材はさらに、人工膝蓋骨を固定するように適合される、請求項１〜１０のいずれかひとつに記載の医療装置。
【請求項１２】
前記横部材は、
ａ）前記大腿骨の前記末端部分の第１の関節丘の皮質骨の第１の層を介して配置されるように、
ｂ）前記第１の関節丘の前記海綿質骨に配置された前記固定部材を介して配置されるように、
ｃ）前記第１の関節丘の皮質骨の第２の層を介して配置されるように、
ｄ）前記大腿骨の前記末端部分の第２の関節丘の皮質骨の第１の層を介して配置されるように、
ｅ）前記第２の関節丘の前記海綿質骨に配置された前記固定部材を介して配置されるように、
ｆ）前記第２の関節丘の皮質骨の第２の層を介して配置されるように、または、第２の層に固定されるように適合される、請求項２〜１１のいずれかひとつに記載の医療装置。
【請求項１３】
前記医療装置は、第一の十字型の靭帯端で前記横部材に固定されるように適合された少なくとも一つの人工十字型の靭帯をさらに備える、請求項１〜１２のいずれかひとつに記載の医療装置。
【請求項１４】
前記第１の十字型の靭帯端の対向端部に配置された第２の人工靭帯端は、インプラントされるときに、脛骨の骨チャネルを通して取り付けられるように適合され、前記骨チャネルの内側で、または前記骨チャネルの外側に移動した後に、前記骨に固定されるように適合される、請求項１３に記載の医療装置。
【請求項１５】
前記医療装置は、前記横部材の同じ位置または異なる位置の少なくとも一方で前記横部材に固定されるように適合された、前方十字型靭帯一つおよび後方十字型靭帯一つの、２つの人工十字型の靭帯をさらに備える、請求項１〜１４のいずれかひとつに記載の医療装置。
【外国語明細書】
2018027396000001.pdf